(57)【要約】【課題】枚葉紙の紙端部の乾燥を好適に行うことが可能な乾燥装置等を提供する。【解決手段】枚葉紙Ｓに塗布されたインキに、照射強度および照射時間を積算した所定の積算光量となるように照射光を照射することで、インキを硬化させて乾燥させる乾燥部１４において、枚葉紙Ｓに塗布されたインキに照射光を照射する照射部３１と、枚葉紙Ｓの紙端部Ｓａに照射される照射光の積算光量を調整可能な照射制御部５０と、を備えたことを特徴とする。【選択図】図２
2011126042.tif 000002
【特許請求の範囲】
【請求項１】
印刷シートに塗布されたインキに、照射強度および照射時間を積算した所定の積算光量となるように照射光を照射することで、前記インキを硬化させて乾燥させる乾燥装置において、
前記印刷シートに塗布されたインキに照射光を照射する光照射手段と、
前記印刷シートの紙端部に照射される照射光の前記積算光量を調整可能な紙端光量調整手段と、を備えたことを特徴とする乾燥装置。
【請求項２】
前記紙端光量調整手段は、前記印刷シートの紙端部に照射される前記光照射手段からの照射光の照射強度を調整する照射強度調整手段を有していることを特徴とする請求項１に記載の乾燥装置。
【請求項３】
前記紙端光量調整手段は、前記印刷シートの紙端へ照射光を照射する補助光照射手段を有していることを特徴とする請求項１または２に記載の乾燥装置。
【請求項４】
前記光照射手段および前記補助光照射手段は、前記印刷シートの搬送方向に並列に配設されていることを特徴とする請求項３に記載の乾燥装置。
【請求項５】
前記紙端光量調整手段は、前記補助光照射手段を、前記印刷シートの紙端へ向けて移動させる補助光照射移動手段を有していることを特徴とする請求項３または４に記載の乾燥装置。
【請求項６】
前記紙端光量調整手段は、前記補助光照射手段から照射される照射光の照射方向を調整可能な照射方向調整手段を有していることを特徴とする請求項３または４に記載の乾燥装置。
【請求項７】
前記紙端光量調整手段は、前記印刷シートの紙端部に照射される前記補助光照射手段からの照射光の照射強度を調整する補助照射強度調整手段を有していることを特徴とする請求項３または４に記載の乾燥装置。
【請求項８】
前記印刷シートに対し、前記光照射手段を離接移動させる離接移動手段を更に備え、
前記離接移動手段は、前記印刷シートの厚さに応じて、前記印刷シートとの間の照射距離を設定することを特徴とする請求項１ないし７のいずれか１項に記載の乾燥装置。
【請求項９】
前記紙端光量調整手段は、前記印刷シートの紙端部外側に照射する前記光照射手段の外側部分を、消灯することを特徴とする請求項１ないし８のいずれか１項に記載の乾燥装置。
【請求項１０】
前記紙端光量調整手段は、前記印刷シートの紙端部に印刷された印刷絵柄の絵柄面積率に応じて、前記印刷シートの紙端部に照射される照射光の前記積算光量を調整可能に構成されていることを特徴とする請求項１ないし９のいずれか１項に記載の乾燥装置。
【請求項１１】
印刷シートを供給可能な給紙装置と、
供給された前記印刷シートにインキを塗布する印刷装置と、
前記印刷シートに塗布されたインキを乾燥させる請求項１ないし１０のいずれか１項に記載の乾燥装置と、
乾燥させた前記印刷シートを排出する排紙装置と、を備えたことを特徴とする印刷機。
【発明の詳細な説明】
【技術分野】
【０００１】
本発明は、印刷シートに塗布されたインキを乾燥させる乾燥装置およびこれを備えた印刷機に関するものである。
【背景技術】
【０００２】
従来、このような乾燥装置として、印刷された枚葉紙のインキを硬化させる乾燥ユニットが知られている（例えば、特許文献１参照）。この乾燥ユニットには、一直線上に配設された複数の発光ダイオードから成る紫外線照射部が設けられており、紫外線照射部は制御部によって制御されている。このとき、制御部は、枚葉紙における所定領域の位置と大きさに基づいて、発光ダイオードのＯＮ−ＯＦＦ制御を行っており、これにより、所定領域以外の部分に紫外線が照射されず、所定領域となる部分に紫外線が照射される。なお、所定領域としては、枚葉紙の全領域や、枚葉紙に印刷された画像である。
【先行技術文献】
【特許文献】
【０００３】
【特許文献１】特開２００９−２０８４６３号公報
【発明の概要】
【発明が解決しようとする課題】
【０００４】
ところで、従来の乾燥ユニットの構成によれば、紫外線照射部は、導入された枚葉紙の位置や大きさに応じて紫外線の照射を行う一方で、枚葉紙以外の部分への紫外線の照射を行わない。ここで、枚葉紙の紙端部に注目してみると、紫外線照射部は、枚葉紙の紙端部に紫外線の照射を行う一方で、枚葉紙の紙端部外側に紫外線の照射を行わない。
【０００５】
このとき、枚葉紙の紙端部へ向けて照射する紫外線の積算光量は、枚葉紙の紙端部以外へ向けて照射する紫外線の積算光量に比して少なくなる。なお、積算光量とは、紫外線の照射強度および照射時間を積算したものである。具体的に説明するに、発光ダイオードは、その直下における照射強度が最も強く、発光ダイオードから遠ざかるにつれて照射強度が弱くなる。また、一直線上に並んだ複数の発光ダイオードのうち、２つの発光ダイオードの間における照射強度は、２つの発光ダイオードの紫外線が重なり合うことで、所定の照射強度を得ることができる。しかしながら、枚葉紙の紙端部における発光ダイオードを挟んで、枚葉紙の紙端部内側には、点灯する発光ダイオードが存在するが、枚葉紙の紙端部外側には、点灯する発光ダイオードは存在しない。このため、枚葉紙の紙端部における発光ダイオードは、枚葉紙の紙端部外側に点灯する発光ダイオードが存在しないため、発光ダイオードの紫外線が重なり合うことができず、所定の照射強度を得ることが困難であった。
【０００６】
なお、上記のような場合において、枚葉紙の紙端部外側に発光ダイオードを設けて点灯させることが考えられるが、乾燥装置の構成上の制限から枚葉紙の紙端部外側に発光ダイオードを設けることができない場合があり、この場合において、枚葉紙の紙端部における積算光量を増加させることは困難となる。これにより、従来の乾燥装置では、枚葉紙の紙端部の乾燥を好適に行うことが難しかった。
【０００７】
そこで、本発明は、印刷シートの紙端部の乾燥を好適に行うことが可能な乾燥装置およびこれを備えた印刷機を提供することを課題とする。
【課題を解決するための手段】
【０００８】
本発明の乾燥装置は、印刷シートに塗布されたインキに、照射強度および照射時間を積算した所定の積算光量となるように照射光を照射することで、インキを硬化させて乾燥させる乾燥装置において、印刷シートに塗布されたインキに照射光を照射する光照射手段と、印刷シートの紙端部に照射される照射光の積算光量を調整可能な紙端光量調整手段と、を備えたことを特徴とする。
【０００９】
この構成によれば、紙端光量調整手段は、印刷シートの中央部に比して、印刷シートの紙端部に照射される照射光の積算光量を増大させることができるため、印刷シートの紙端部における乾燥を好適に行うことができる。なお、所定の積算光量とは、インキを乾燥させるために必要な積算光量である。
【００１０】
この場合、紙端光量調整手段は、印刷シートの紙端部に照射される光照射手段からの照射光の照射強度を調整する照射強度調整手段を有していることが、好ましい。
【００１１】
この構成によれば、照射強度調整手段により、印刷シートの紙端部における照射強度を増大させることで、積算光量を増大させることができる。
【００１２】
この場合、紙端光量調整手段は、印刷シートの紙端へ照射光を照射する補助光照射手段を有していることが、好ましい。
【００１３】
この構成によれば、補助光照射手段を設けることで、光照射手段による照射光の照射と、補助光照射手段による照射光の照射と、を行うことができ、これにより、照射時間を長くすることができるため、印刷シートの紙端部における積算光量を増大させることができる。
【００１４】
この場合、光照射手段および補助光照射手段は、印刷シートの搬送方向に並列に配設されていることが、好ましい。
【００１５】
この構成によれば、光照射手段および補助光照射手段を印刷シートの搬送方向に並列に配設することで、搬送される印刷シートに対し、光照射手段による照射光の照射と、補助光照射手段による照射光の照射と、を順に行うことができる。
【００１６】
この場合、紙端光量調整手段は、補助光照射手段を、印刷シートの紙端へ向けて移動させる補助光照射移動手段を有していることが、好ましい。
【００１７】
この構成によれば、補助光照射移動手段により、補助光照射手段を印刷シートの紙端部へ向けて移動させることができる。これにより、異なるサイズの印刷シートが導入され、印刷シートの紙端部の位置が変わったとしても、補助光照射移動手段により、補助光照射手段から照射される照射光を、印刷シートの紙端部へ向けて好適に照射することができる。なお、補助光照射手段が印刷シートの両紙端部を照射可能なように左右一対設けた場合、補助光照射移動手段は、左右一対の補助光照射手段をそれぞれ個別に移動させることができる。このため、例えば、印刷シートの紙端部に印刷された印刷絵柄の絵柄面積率が高い場合、補助光照射移動手段は、印刷絵柄の直上に、補助光照射手段を移動させることで、照射光の照射強度を増大することができるため、印刷絵柄の乾燥を好適に行うことが可能となる。
【００１８】
この場合、紙端光量調整手段は、補助光照射手段から照射される照射光の照射方向を調整可能な照射方向調整手段を有していることが、好ましい。
【００１９】
この構成によれば、異なるサイズの印刷シートが導入され、印刷シートの紙端部の位置が変わったとしても、照射方向調整手段により、補助光照射手段から照射される照射光を、印刷シートの紙端部へ向けて好適に照射することができる。
【００２０】
この場合、紙端光量調整手段は、印刷シートの紙端部に照射される補助光照射手段からの照射光の照射強度を調整する補助照射強度調整手段を有していることが、好ましい。
【００２１】
この構成によれば、補助照射強度調整手段により、印刷シートの紙端部に、補助光照射手段からの照射光を照射することができるため、積算光量を増大させることができる。
【００２２】
この場合、印刷シートに対し、光照射手段を離接移動させる離接移動手段を更に備え、離接移動手段は、印刷シートの厚さに応じて、印刷シートとの間の照射距離を設定することが、好ましい。
【００２３】
この構成によれば、印刷シートの厚さに応じて、光照射手段と印刷シートとの間の照射距離を適宜調整することができるため、印刷シートに塗布されたインキを乾燥させるのに好適な照射距離とすることができる。
【００２４】
この場合、紙端光量調整手段は、印刷シートの紙端部外側に照射する光照射手段の外側部分を、消灯することが、好ましい。
【００２５】
この構成によれば、光照射手段は、印刷シート以外の部分に照射光を照射せず、印刷シートにのみ照射光を照射することができる。これにより、光照射手段は、必要な部分にのみ照射光を照射することができるため、使用する照射エネルギを抑制することが可能となる。
【００２６】
この場合、紙端光量調整手段は、印刷シートの紙端部に印刷された印刷絵柄の絵柄面積率に応じて、印刷シートの紙端部に照射される照射光の積算光量を調整可能に構成されていることが、好ましい。
【００２７】
この構成によれば、紙端光量調整手段は、印刷シートの紙端部における印刷絵柄の絵柄面積率に応じて、照射光の積算光量を調整することができる。このため、紙端光量調整手段は、例えば、絵柄面積率が大きい場合、照射光の積算光量を増大させることで、印刷絵柄を好適に乾燥させることができ、一方、絵柄面積率が小さい場合、照射光の積算光量を減少させることで、照射光の照射エネルギを抑制することができる。
【００２８】
本発明の印刷機は、印刷シートを供給可能な給紙装置と、供給された印刷シートにインキを塗布する印刷装置と、印刷シートに塗布されたインキを乾燥させる請求項１ないし９のいずれか１項に記載の乾燥装置と、乾燥させた印刷シートを排出する排紙装置と、を備えたことを特徴とする。
【００２９】
この構成によれば、印刷シートの紙端部に照射される照射光の積算光量を増大させることができるため、印刷シートの紙端部における乾燥を好適に行うことができる。
【発明の効果】
【００３０】
本発明の乾燥装置およびこれを備えた印刷機によれば、印刷シートの紙端部に照射される照射光の積算光量を増大させることができるため、印刷シートの紙端部における乾燥を好適に行うことができる。
【図面の簡単な説明】
【００３１】
【図１】図１は、実施例１に係る乾燥装置を適用した枚葉印刷機の概略構成図である。
【図２】図２は、実施例１に係る乾燥装置を模式的に表した説明図である。
【図３】図３は、実施例２に係る乾燥装置を模式的に表した説明図である。
【図４】図４は、変形例に係る乾燥装置を模式的に表した説明図である。
【図５】図５は、実施例３に係る乾燥装置を模式的に表した説明図である。
【発明を実施するための形態】
【００３２】
以下、添付した図面を参照して、本発明に係る乾燥装置およびこれを備えた印刷機について説明する。なお、以下の実施例によりこの発明が限定されるものではない。また、下記実施例における構成要素には、当業者が置換可能かつ容易なもの、或いは実質的に同一のものが含まれる。
【実施例１】
【００３３】
実施例１に係る乾燥装置は、印刷シートの一種である枚葉紙に塗布されたインキを乾燥させるものであり、この乾燥装置は、枚葉印刷機に組み込まれている。なお、実施例１では、乾燥装置を、枚葉印刷機に適用して説明するが、これに限らず、他の印刷機に適用しても良い。
【００３４】
図１に示すように、枚葉印刷機１は、給紙部（給紙装置）１１と印刷部（印刷装置）１２と排紙部（排紙装置）１３とが枚葉紙（印刷シート）Ｓの搬送方向に直列に配置されてなり、排紙部１３に乾燥部（乾燥装置）１４が配置され、制御部１５により各部が制御されている。
【００３５】
給紙部１１は、積層した複数の枚葉紙Ｓを、印刷部１２へ向けて一枚ずつ順次供給するものである。このとき、枚葉紙Ｓは、サイズや厚さが異なったものが複数種用意されており、使用する枚葉紙Ｓの種類に応じて、各部を適宜設定する。
【００３６】
印刷部１２は、５つの印刷ユニット１２ａ，１２ｂ，１２ｃ，１２ｄ，１２ｅにより構成され、５色のインキ（例えば、シアン、マゼンタ、イエロー、ブラック、ゴールド）が用いられている。各印刷ユニット１２ａ，１２ｂ，１２ｃ，１２ｄ，１２ｅは、版胴、ブランケット胴および圧胴を有しており、各インキが版胴を介してブランケット胴に転移し、ブランケット胴と圧胴との間を枚葉紙Ｓが通過することで、印刷面となる枚葉紙Ｓの表面に対してインキが転写される。このとき、インキは、紫外線が照射されることで硬化する紫外線硬化性インキ（ＵＶインキ）である。
【００３７】
排紙部１３は、印刷部１２で印刷された枚葉紙Ｓを搬送し、整列した状態で積み重ねるものである。排紙部１３は、枚葉紙Ｓの先端を保持して搬送可能な第１排紙胴２１及び第２排紙胴２２を有しており、第２排紙胴２２に対向するように乾燥部１４が設けられている。
【００３８】
従って、給紙部１１から印刷部１２へ向けて枚葉紙Ｓが順次供給されると、枚葉紙Ｓは、印刷部１２の各印刷ユニット１２ａ，１２ｂ，１２ｃ，１２ｄ，１２ｅのブランケット胴と圧胴との間を通過することにより、その表面にＵＶインキが塗布される。続いて、表面にＵＶインキが塗布された枚葉紙Ｓは、排紙部１３に導入され、排紙部１３に設けられた乾燥部１４により、枚葉紙Ｓに塗布されたＵＶインキが硬化する。そして、硬化後の枚葉紙Ｓは、排紙部１３のスタッカに積層されてゆく。
【００３９】
次に、図２を参照して、本発明の特徴部分である乾燥部１４について説明する。乾燥部１４は、第２排紙胴２２の軸方向に延在するように配設されており、複数のＬＥＤ素子３０を有する照射部（光照射手段）３１と、照射部３１を離接方向に移動させる離接移動機構（離接移動手段）３２と、を備え、照射部３１および離接移動機構３２は、上記の制御部１５によって制御されている。
【００４０】
照射部３１は、第２排紙胴２２の幅、つまり、搬送される枚葉紙Ｓの幅の全域に対応して設けられ、第２排紙胴２２に対向する面が照射面となっている。そして、照射部３１の照射面に、複数のＬＥＤ素子３０が、第２排紙胴２２の軸方向に沿って一直線上に並設されている。
【００４１】
離接移動機構３２は、第２排紙胴２２に対し、照射部３１を離接方向に移動させるものである。ここで、離接移動機構３２により、照射部３１を第２排紙胴２２に近接させると、照射部３１は、第２排紙胴２２を周回する枚葉紙Ｓに近接し、照射部３１から枚葉紙Ｓまでの照射距離は短くなる。このとき、照射部３１と枚葉紙Ｓとの間の照射距離が短ければ短いほど、枚葉紙Ｓに対する照射部３１の照射強度は強くなる。一方で、照射距離が長ければ長いほど、枚葉紙Ｓに対する照射部３１の照射強度は弱くなる。
【００４２】
制御部１５は、照射部３１を制御可能な照射制御部（照射強度調整手段）５０と、離接移動機構３２を制御可能な離接移動制御部５１と、を有している。照射制御部５０は、各ＬＥＤ素子３０の消灯および点灯を制御（点滅制御）すると共に、点灯時における各ＬＥＤ素子３０の照射光の照射強度をそれぞれ調整可能に制御している。これにより、詳細は後述するが、照射制御部５０は、枚葉紙Ｓの紙端部Ｓａへ向けて照射されるＬＥＤ素子３０の照射強度を増大させたり、また、幅方向において枚葉紙Ｓの紙端部Ｓａ外に位置するＬＥＤ素子３０を消灯させたり、さらに、枚葉紙Ｓに印刷された印刷絵柄の絵柄面積率に応じて照射強度を可変する。
【００４３】
離接移動制御部５１は、離接移動機構３２を制御することにより、照射部３１と枚葉紙Ｓとの間の照射距離を調整可能に制御している。ここで、照射部３１と枚葉紙Ｓとの間の照射距離は、印刷される枚葉紙Ｓの厚さに応じて、印刷前に予め設定（プリセット）される。つまり、枚葉紙Ｓの厚さに応じて照射距離を適切な距離とすることで、照射部３１は、枚葉紙Ｓに対し好適に紫外線照射を行うことが可能となる。
【００４４】
ところで、照射部３１は、枚葉紙Ｓに照射光を照射することで枚葉紙Ｓを乾燥させるが、枚葉紙Ｓを乾燥させるには、照射部３１は、所定の積算光量以上の照射光を枚葉紙Ｓに照射しなければならない。ここで、積算光量とは、照射強度と照射時間とを積算したものであり、所定の積算光量とは、インキを乾燥させるために必要な積算光量である。
【００４５】
図２に示すように、枚葉紙Ｓが乾燥部１４の全幅に亘って搬送される場合、枚葉紙Ｓの幅方向両側における両紙端部Ｓａは、照射部３１から照射される照射強度が弱いため、所定の積算光量を得ることができず、枚葉紙Ｓの両紙端部Ｓａは乾燥しにくい。具体的に説明するに、一列に並んだ複数のＬＥＤ素子３０は、各ＬＥＤ素子３０の直下における照射強度が、各ＬＥＤ素子３０間における照射強度に比して強い。このとき、各ＬＥＤ素子３０間における照射強度は、一方のＬＥＤ素子３０の照射強度と他方のＬＥＤ素子３０の照射強度とが重なり合っているため、所定の照射強度Ｌを得ることができ、枚葉紙Ｓの紙端部Ｓａ以外の部分は、所定の照射強度Ｌを得ることができる。一方で、幅方向の両端部におけるＬＥＤ素子３０は、その外側にＬＥＤ素子３０が存在しないため、照射強度を重ね合わせることができず、所定の照射強度Ｌを得ることは難しい。
【００４６】
そこで、実施例１では、上記した照射制御部５０により、複数のＬＥＤ素子３０の照射強度を個別に調整することで、枚葉紙Ｓの両紙端部Ｓａに向けて照射するＬＥＤ素子３０の照射強度を増大させている。なお、照射制御部５０は、枚葉印刷機１へ導入される枚葉紙Ｓの幅に基づいて、枚葉紙Ｓの両紙端部Ｓａの位置を判別すると共に、判別した枚葉紙Ｓの両紙端部Ｓａの位置に基づいて、複数のＬＥＤ素子３０の照射強度を個別に制御する。
【００４７】
具体的に、図２のＬ１に示すように、枚葉紙Ｓが乾燥部１４の全幅に亘って搬送される場合、枚葉紙Ｓの幅方向両側における両紙端部Ｓａは、照射部３１から照射される照射強度が弱いため、所定の照射強度Ｌを得ることができない。この場合、照射制御部５０は、図２のＬ２に示すように、照射部３１の両端部に位置するＬＥＤ素子３０の照射強度を増大させる。これにより、枚葉紙Ｓの両紙端部Ｓａにおいて所定の照射強度Ｌを得ることができる。
【００４８】
また、図２のＬ３に示すように、照射制御部５０は、枚葉紙Ｓが乾燥部１４よりも幅狭である場合、幅方向において、枚葉紙Ｓの両紙端部Ｓａの外側に位置するＬＥＤ素子３０を消灯させている。これにより、照射制御部５０は、不要なＬＥＤ素子３０の照射を行うことがないため、照射部３１の照射エネルギを抑制することができる。なお、この場合において、照射制御部５０は、枚葉紙Ｓの紙端部Ｓａへ向けて照射するＬＥＤ素子３０、すなわち、消灯したＬＥＤ素子３０の幅方向内側のＬＥＤ素子３０の照射強度を増大させる。
【００４９】
さらに、照射制御部５０は、枚葉紙Ｓに印刷される印刷絵柄の絵柄面積率に応じて、照射光の照射強度をそれぞれ照射可能に制御している。つまり、照射制御部５０は、枚葉紙Ｓに印刷される印刷絵柄の絵柄面積率が高い場合、照射光の照射強度を増大させる。一方で、照射制御部５０は、枚葉紙Ｓに印刷される印刷絵柄の絵柄面積率が低い場合、照射光の照射強度を減少させる。なお、絵柄面積率は、印刷絵柄の単位面積当たりにおけるインキの使用量を決定するために用いられる値となっている。このため、印刷絵柄の絵柄面積率が低いほど白紙に近く、印刷絵柄の絵柄面積率が高いほど濃くなる。
【００５０】
以上の構成によれば、照射制御部５０は、枚葉紙Ｓの中央部に比して、枚葉紙Ｓの紙端部Ｓａに照射される照射光の照射強度を増大させることができるため、枚葉紙Ｓの紙端部Ｓａにおける積算光量を増大させることができる。このため、枚葉紙Ｓの紙端部Ｓａにおける乾燥を好適に行うことができる。なお、照射制御部５０により照射強度を増大させるＬＥＤ素子３０は、１つに限らず、複数であってもよい。このとき、照射制御部５０は、枚葉紙Ｓの紙端部Ｓａに照射される照射光の照射強度を増大させるが、照射制御部５０は、枚葉紙Ｓの紙端部Ｓａへの制御と合わせて、印刷絵柄の絵柄面積率に応じて、照射光の照射強度を調整することができる。これにより、照射制御部５０は、印刷絵柄の絵柄面積率が高い場合、照射光の照射強度を増大させることにより、枚葉紙Ｓの紙端部Ｓａにおける乾燥を更に好適に行うことができる。一方、照射制御部５０は、印刷絵柄の絵柄面積率が低い場合、照射光の照射強度を減少させることにより、枚葉紙Ｓの紙端部Ｓａに照射される照射光の照射エネルギを抑制することができる。
【００５１】
また、離接移動機構３２により、枚葉紙Ｓの厚さに応じて、照射部３１と枚葉紙Ｓとの間の照射距離を調整することができるため、枚葉紙Ｓに塗布されたインキを乾燥させるのに好適な照射距離とすることができる。
【００５２】
さらに、照射制御部５０は、枚葉紙Ｓ以外の部分に照射光を照射せず、枚葉紙Ｓにのみ照射光を照射することができる。これにより、照射部３１は、必要な部分にのみ照射光を照射することができるため、使用する照射エネルギを抑制することが可能となる。
【実施例２】
【００５３】
次に、図３を参照して、実施例２に係る乾燥部６０およびこれを備えた枚葉印刷機１について説明する。なお、重複した記載を避けるべく、異なる部分についてのみ説明する。実施例１に係る乾燥部１４では、枚葉紙Ｓの紙端部Ｓａへ向けて照射するＬＥＤ素子３０の照射強度を増大させていたが、実施例２に係る乾燥部６０では、実施例１とほぼ同様に構成された照射部６１に加え、補助照射部（補助光照射手段）６２が設けられている。
【００５４】
以下、具体的に説明するに、乾燥部６０は、照射部６１と、補助照射部６２と、補助照射部移動機構（補助光照射移動手段）６３とを備え、照射部６１と補助照射部６２とは、枚葉紙Ｓの搬送方向に並設されている。照射部６１は、実施例１と同様に、第２排紙胴２２の幅、つまり、搬送される枚葉紙Ｓの幅の全域に対応して設けられ、第２排紙胴２２に対向する面が照射面となっている。そして、照射部６１の照射面に、複数のＬＥＤ素子６４が、第２排紙胴２２の軸方向に沿って一直線上に並設されている。
【００５５】
補助照射部６２は、枚葉紙Ｓの幅方向中央を中心にして左右に一対設けられており、各補助照射部６２は、照射部６１と同様に、第２排紙胴２２に対向する面が照射面となっている。そして、補助照射部６２の照射面に、複数のＬＥＤ素子６４が、第２排紙胴２２の軸方向に沿って一直線上に並設されている。
【００５６】
補助照射部移動機構６３は、左右一対の補助照射部６２を枚葉紙Ｓの幅方向にそれぞれ個別に移動させるものである。そして、この補助照射部移動機構６３は、制御部１５に設けられた補助移動制御部６５に接続されており、補助移動制御部６５は、補助照射部移動機構６３を制御して、各補助照射部６２の移動制御を行っている。具体的に、補助移動制御部６５は、一対の補助照射部６２を、枚葉紙Ｓの紙端部Ｓａに向けて照射光が照射されるように移動させる。
【００５７】
また、補助移動制御部６５は、枚葉紙Ｓの両紙端部Ｓａに印刷される印刷絵柄の絵柄面積率に応じて、左右一対の補助照射部６２の移動制御を行っている。つまり、補助移動制御部６５は、紙端部Ｓａに絵柄面積率が高い印刷絵柄が印刷された場合、印刷絵柄の直上となるように各補助照射部６２を移動させる。
【００５８】
以上の構成によれば、補助照射部移動機構６３により、一対の補助照射部６２を枚葉紙Ｓの両紙端部Ｓａへ向けて移動させることができる。これにより、搬送される枚葉紙Ｓの両紙端部Ｓａには、照射部６１による照射光の照射と、補助照射部６２による照射光の照射と、を行うことができ、照射時間を長くすることができるため、枚葉紙Ｓの紙端部Ｓａにおける積算光量を増大させることができる。このため、枚葉紙Ｓの紙端部Ｓａにおける乾燥を好適に行うことができる。また、異なるサイズの枚葉紙Ｓが導入され、枚葉紙Ｓの紙端部Ｓａの位置が変わったとしても、補助照射部移動機構６３により、各補助照射部６２を適宜移動させることにより、枚葉紙Ｓの紙端部Ｓａへ向けて照射光を好適に照射することができる。さらに、補助移動制御部６５は、紙端部Ｓａに絵柄面積率が高い印刷絵柄が印刷された場合、印刷絵柄の直上となるように、補助照射部移動機構６３を介して各補助照射部６２を移動させることにより、照射光の照射強度を増大させることができるため、印刷絵柄を好適に乾燥させることができる。
【００５９】
なお、実施例２では、補助照射部移動機構６３は、一対の補助照射部６２を枚葉紙Ｓの幅方向に移動させるように構成したが、図４に示すように、変形例として、一対の補助照射部６２から照射された照射光の照射方向を調整可能な照射方向調整手段として機能させても良い。この構成によれば、補助照射部移動機構６３により、一対の補助照射部６２からの照射光を、枚葉紙Ｓの両紙端部Ｓａへ向けて照射することができる。これにより、搬送される枚葉紙Ｓの両紙端部Ｓａには、照射部６１による照射光の照射と、補助照射部６２による照射光の照射と、を行うことができ、照射時間を長くすることができるため、枚葉紙Ｓの紙端部Ｓａにおける積算光量を増大させることができる。よって、この場合においても、枚葉紙Ｓの紙端部Ｓａにおける乾燥を好適に行うことができる。
【実施例３】
【００６０】
次に、図５を参照して、実施例３に係る乾燥部７０およびこれを備えた枚葉印刷機１について説明する。なお、重複した記載を避けるべく、異なる部分についてのみ説明する。実施例１に係る乾燥部１４では、枚葉紙Ｓの紙端部Ｓａへ向けて照射するＬＥＤ素子３０の照射強度を増大させていたが、実施例３に係る乾燥部７０では、照射部７１にＬＥＤ素子７２と補助ＬＥＤ素子７３とが設けられている。
【００６１】
以下、具体的に説明するに、照射部７１は、第２排紙胴２２の幅、つまり、搬送される枚葉紙Ｓの幅の全域に対応して設けられ、第２排紙胴２２に対向する面が照射面となっている。そして、照射部７１の照射面に、複数のＬＥＤ素子７２が、第２排紙胴２２の軸方向に沿って一直線上に並設されており、また、複数の補助ＬＥＤ素子７３が、第２排紙胴２２の軸方向に沿って一直線上に並設されている。そして、複数のＬＥＤ素子７２と、複数の補助ＬＥＤ素子７３とは、枚葉紙Ｓの搬送方向に並設されることで、２列に構成されている。
【００６２】
そして、この照射部７１は、制御部１５に設けられた照射制御部７５に接続されており、照射制御部７５は、ＬＥＤ素子７２および補助ＬＥＤ素子７３の点滅制御を実行可能な照射強度調整手段および補助照射強度調整手段として機能する。具体的に、照射制御部７５は、枚葉紙Ｓの紙端部Ｓａ内に存在するＬＥＤ素子７２を点灯させると共に、枚葉紙Ｓの紙端部Ｓａ外に存在するＬＥＤ素子７２を消灯させる。また、照射制御部７５は、枚葉紙Ｓの紙端部Ｓａに位置する補助ＬＥＤ素子７３を点灯させる。
【００６３】
以上の構成によれば、照射制御部７５は、枚葉紙Ｓの紙端部Ｓａに対し、ＬＥＤ素子７２による照射光の照射と、補助ＬＥＤ７３による照射光の照射と、を行うことができ、照射時間を長くすることができるため、枚葉紙Ｓの紙端部Ｓａにおける積算光量を増大させることができる。このため、枚葉紙Ｓの紙端部Ｓａにおける乾燥を好適に行うことができる。
【産業上の利用可能性】
【００６４】
以上のように、本発明に係る乾燥装置および印刷機は、枚葉印刷機において有用であり、特に、ＵＶインキを塗布した枚葉紙の紙端部を乾燥させる場合に適している。
【符号の説明】
【００６５】
１    枚葉印刷機
１１  給紙部
１２  印刷部
１３  排紙部
１４  乾燥部
１５  制御部
２１  第１排紙胴
２２  第２排紙胴
３０  ＬＥＤ素子
３１  照射部
３２  離接移動機構
５０  照射制御部
５１  離接移動制御部
６０  乾燥部（実施例２）
６１  照射部（実施例２）
６２  補助照射部
６３  補助照射部移動機構
６４  ＬＥＤ素子（実施例２）
６５  補助移動制御部
７０  乾燥部（実施例３）
７１  照射部
７２  ＬＥＤ素子（実施例３）
７３  補助ＬＥＤ素子
７５  照射制御部（実施例３）
Ｓ    枚葉紙
Ｓａ  紙端部
【図１】
2011126042.tif 000003
【図２】
2011126042.tif 000004
【図３】
2011126042.tif 000005
【図４】
2011126042.tif 000006
【図５】
2011126042.tif 000007